(57)【特許請求の範囲】
【請求項１】
投射画像の縦方向の歪を補正する縦キーストーン補正値と前記投射画像の横方向の歪を補正する横キーストーン補正値を設定する設定部と、
前記設定部によって現在設定されている縦キーストーン補正値及び横キーストーン補正値と、前記現在設定されている縦キーストーン補正値及び横キーストーン補正値から前記縦キーストーン補正値と前記横キーストーン補正値のそれぞれが設定可能な範囲を表示する表示部と、
を有することを特徴とする投射型表示装置。
【請求項２】
前記設定部は、前記縦キーストーン補正値および前記横キーストーン補正値の一方を、前記縦キーストーン補正値および前記横キーストーン補正値の他方を維持した状態のままでは限界値を超える設定値に設定しようとする場合に、前記縦キーストーン補正値および前記横キーストーン補正値の他方を変更することによって前記縦キーストーン補正値および前記横キーストーン補正値の一方を前記設定値に設定することを特徴とする請求項１に記載の投射型表示装置。
【請求項３】
投射画像の縦方向の歪を補正する縦レンズシフト量と前記投射画像の横方向の歪を補正する横レンズシフト量を設定する設定部と、
前記設定部によって現在設定されている縦レンズシフト量及び横レンズシフト量と、前記現在設定されている縦レンズシフト量及び横レンズシフト量から前記縦レンズシフト量と前記横レンズシフト量のそれぞれが設定可能な範囲を表示する表示部と、
を有することを特徴とする投射型表示装置。
【請求項４】
前記設定部は、前記縦レンズシフト量および前記横レンズシフト量の一方を、前記縦レンズシフト量および前記横レンズシフト量の他方を維持した状態のままでは限界値を超える設定値に設定しようとする場合に、前記縦レンズシフト量および前記横レンズシフト量の他方を変更することによって前記縦レンズシフト量および前記横レンズシフト量の一方を前記設定値に設定することを特徴とする請求項３に記載の投射型表示装置。
【発明の詳細な説明】
【技術分野】
【０００１】
本発明は、投射型表示装置に関する。
【背景技術】
【０００２】
プロジェクタの投射画像の歪を画像処理で補正するキーストーン補正は従来から知られており（特許文献１及び２）、手動でキーストーン補正をすることも可能である。手動でキーストーン補正を行う場合、ユーザは縦キーストーンと横キーストーンの値を独立に入力する。また、プロジェクタの投射画像の歪を光学処理で補正するレンズシフト補正も従来から知られている。
【先行技術文献】
【特許文献】
【０００３】
【特許文献１】特開２００１−３３９６７１号公報
【特許文献２】特開２００５−１５９８２９号公報
【発明の概要】
【発明が解決しようとする課題】
【０００４】
キーストーン補正もレンズシフト補正も、縦横の補正パラメータ（例えば、縦キーストーン補正値と横キーストーン補正値）が相互に関連しており、一方を補正すると他方の補正可能な範囲が変化する。しかしながら、従来のキーストーン補正やレンズシフト補正においては、一方の補正パラメータの補正に応じて変化した他方の補正パラメータの補正可能な範囲がユーザに提供されていなかったため、操作性に課題があった。
【０００５】
そこで、本発明は、操作性良く投射画像の歪を補正することが可能な投射型表示装置を提供することを例示的な目的とする。
【課題を解決するための手段】
【０００６】
本発明の投射型表示装置は、投射画像の縦方向の歪を補正する縦キーストーン補正値と前記投射画像の横方向の歪を補正する横キーストーン補正値を設定する設定部と、前記設定部によって現在設定されている縦キーストーン補正値及び横キーストーン補正値と、前記現在設定されている縦キーストーン補正値及び横キーストーン補正値から前記縦キーストーン補正値と前記横キーストーン補正値のそれぞれが設定可能な範囲を表示する表示部と、を有することを特徴とする。
【発明の効果】
【０００７】
本発明によれば、操作性良く手動で投射画像の歪を補正することが可能な投射型表示装置を提供することができる。
【図面の簡単な説明】
【０００８】
【図１】図１は、本発明の投射型表示装置（プロジェクタ）のブロック図である。（実施例１）
【図２】図２は、キーストーン調整メニュー画面の図である。
【図３】図３は、本発明の投射型表示装置（プロジェクタ）のブロック図である。（実施例２）
【図４】図４は、レンズシフト調整メニュー画面の図である。
【発明を実施するための形態】
【０００９】
以下、添付図面を参照して、本発明の実施例について説明する。
【実施例１】
【００１０】
図１は、実施例１の投射型表示装置（プロジェクタ）のブロック図である。投射型表示装置は、制御部１、メモリ２、映像入力端子３、入力信号処理部４、フレームバッファ５、解像度変換部６、キーストーン補正部１０、映像変換部２０を有する。なお、ＯＳＤはＯｎ−ＳｃｒｅｅｎＤｉｓｐｌａｙの略である。
【００１１】
制御部１は、メモリ２に格納された各種プログラムに従って各部を制御する。映像入力端子３は、コンピュータやＡＶ機器等から出力される映像信号の入力端子である。入力信号処理部４は、映像入力端子３から入力される映像信号から信号フォーマットを決定し、その信号フォーマットに従い映像信号の各画素データを抽出し順次フレームバッファ５へ保存する。
【００１２】
フレームバッファ５は、入力映像信号の各画素データのバッファ機能を果たす。解像度変換部６は、制御部１によって設定される領域の画素データをフレームバッファ５から読み出し拡大及び縮小処理を行う。
【００１３】
キーストーン補正部１０は、入力部（設定部）１１、表示部１２、ＯＳＤメモリ部１３、ＯＳＤ処理部１４、補正実行部１５を有し、投射画像の歪を縦キーストーン補正値と横キーストーン補正値を設定することによって画像処理により補正する。
【００１４】
入力部（設定部）１１は、投射画像の縦方向の歪を補正する縦キーストーン補正値と投射画像の横方向の歪を補正する横キーストーン補正値を設定するボタン、レバー、ダイヤル、キーボード、テンキー、ポインティングデバイスなどの入力手段から構成される。
【００１５】
表示部１２は、現在設定されている縦キーストーン補正値及び横キーストーン補正値と、現在設定されている値から縦キーストーン補正値と前記横キーストーン補正値のそれぞれが設定可能な範囲を表示する。本実施例では、表示部１２は、縦キーストーン補正と横キーストーン補正が可能な範囲を２次元的に表示するキーストーン調整メニューを表示する。しかし、表示部１２は、縦キーストーン補正値及び横キーストーン補正値の現在の位置と、現在の位置に対してそれぞれが設定可能な範囲を数値、色、矢印などで表示してもよい。
【００１６】
例えば、設定可能な範囲を数値範囲で表示したり、上限値までの補正値が所定数以上であれば青、０より大きく所定値以下であれば黄色、上限値であれば赤を表示したりしてもよい。また、上限値になるまで縦キーストーン補正値の上方向の矢印を表示し、上限値になれば上方向の矢印を非表示にしてもよい。
【００１７】
図２は、表示部１２が表示するキーストーン調整メニュー１２ａの画面である。「キーストーン調整メニュー」の文字が画面左上に表示されているが、位置は限定されず、表示自体も任意である。
【００１８】
キーストーン調整メニュー１２ａは、菱形の領域１２ｂと、縦バー１２ｃと、縦キーストーン補正値１２ｄと、横バー１２ｅと、横キーストーン補正値１２ｆと、を有する。
【００１９】
領域１２ｂは、縦キーストーン補正値と横キーストーン補正値を設定可能な複数の正方形形状の領域を含んでいる。なお、領域１２ｂが菱形であるのは単なる例示であり、領域１２ｂに含まれる複数の領域の正方形形状も単なる例示である。
【００２０】
図２に例示的に示すように、縦キーストーン補正値は−１１〜＋１１まで補正可能であり、横キーストーン補正値は−１４〜＋１４まで補正可能であるが、縦キーストーン補正が可能な範囲と横キーストーン補正が可能な範囲は相互に関連している。
【００２１】
即ち、縦キーストーン補正が可能な範囲が−１１〜＋１１であるのは横キーストーン補正値が０である場合であり、横キーストーン補正値が変化すると縦キーストーン補正が可能な範囲は狭まる。同様に、横キーストーン補正が可能な範囲が−１４〜＋１４であるのは縦キーストーン補正値が０である場合であり、縦キーストーン補正値が変化すると横キーストーン補正が可能な範囲は狭まる。
【００２２】
黒い正方形形状を有する位置１２ｂ１は現在の位置（縦キーストーン補正値＋５、横キーストーン補正値＋７）を示しており、その数値は右端の縦キーストーン補正値１２ｄと下部の横キーストーン補正値１２ｆに表示されている。
【００２３】
これにより、ユーザは現在の設定値を直ちに把握できると共に、現在の設定値と限界設定値との関係を容易に把握することができる。例えば、ユーザは、図２に示す現在の位置１２ｂ１において、現在の横キーストーン補正値＋７を維持した状態では縦キーストーン補正値を＋５よりも増加することができないことを把握することができる。
【００２４】
従来は、領域１２ｂの情報がユーザに提供されていなかったため、ユーザは現在の位置から補正値を増減できるのかどうかわからず、縦キーストーン補正値と横キーストーン補正値の関連性もわからず、操作性に課題があった。
【００２５】
これに対して、本実施例の投射型表示装置によれば、ユーザは、現在位置から縦キーストーン補正と横キーストーン補正のそれぞれが可能な範囲を容易に把握することができる。このため、ユーザは、操作性良く手動で投射画像の歪を補正することができる。
【００２６】
縦バー１２ｃは、全長、ハッチング部分、黒塗り部分で構成されている。全長、及び、ハッチング部分は、それぞれ、横キーストーン補正値が０である場合、及び、現在の横キーストーン補正値である場合の縦キーストーン補正が可能な範囲に対応している。また、黒塗り部分は、現在の縦キーストーン補正値に対応しており、中心値０から現在位置までの部分を塗り潰している。現在位置＋５から上側が白いのは現在位置が上限であり、横キーストーン補正値を減少させない限り、それ以上縦キーストーン補正値を増加できないことを示している。
【００２７】
同様に、横バー１２ｅも、全長、ハッチング部分、黒塗り部分で構成されている。全長、及び、ハッチング部分は、それぞれ、縦キーストーン補正値が０である場合、及び、現在の縦キーストーン補正値である場合の横キーストーン補正が可能な範囲に対応している。また、黒塗り部分は、現在の横キーストーン補正値に対応しており、中心値０から現在位置までの部分を塗り潰している。現在位置＋７では、横キーストーン補正値を＋１だけ増加できることを示している。
【００２８】
ＯＳＤ画像メモリ部１３は、不揮発性メモリであり、キーストーン調整メニュー１２ａ等の画像を保存している。
【００２９】
ＯＳＤ処理部１４は、解像度変換部６より入力される映像信号に対し、制御部１によって設定される領域にＯＳＤ画像メモリ部１３に記憶されていた画像を読み出して重畳する。ＯＳＤ処理部１４は制御部１により、ユーザが縦及び横キーストーン調整をする際のメニュー表示を行うといった、ＧＵＩ（グラフィカルユーザインターフェイス）の役割を果たす。
【００３０】
補正実行部１５は、ＯＳＤ処理部１４より入力される映像信号に対し、制御部１によって設定される値で縦及び横キーストーン補正処理を実行する。映像変換部２０は、補正実行部１５より入力される映像信号を光学映像に変換する。なお、プロジェクタは、映像変換部２０で変換された光学映像をスクリーンに投射する不図示の投射部を更に有している。
【００３１】
以上、本実施例によれば、互いに影響しあう縦キーストーン補正及び横キーストーン補正の限界設定値の把握が容易となり、ユーザは操作性良く手動で投射画像の歪を補正することができる。
【００３２】
なお、図２に示す現在の位置１２ｂ１において、縦キーストーン補正値を＋５よりも増加する操作をした場合には、制御部１は、図１に示すハッチングされた位置１２ｂ２（縦キーストーン補正値＋６、横キーストーン補正値＋６）に移行してもよい。
【００３３】
従来は、縦キーストーン補正値及び横キーストーン補正値の一方を、縦キーストーン補正値及び横キーストーン補正値の他方を維持した状態では限界値を超えた所定の設定値に設定しようとする操作に対しては無反応であり、操作性を改善する需要があった。
【００３４】
そこで、その場合に、制御部１は、操作対象とならない方向のキーストーン補正値を変更（増減）することによってユーザが意図する操作対象の方向のキーストーン補正値を前記所定の設定値に変更してもよい。これにより、ユーザは操作性良く手動で投射画像の歪を補正することができるようになる。
【００３５】
この斜め移動は、領域１２ｂが表示されない状態で行なわれても従来よりも操作性が向上する。
【００３６】
また、この斜め移動は、現在の限界値である補正値を超えてキーストーン補正値を設定しようとする操作が一定時間行なわれた後でなされてもよい。この一定時間の遅延によってユーザは斜め移動が行われたことを把握しやすくなる。
【実施例２】
【００３７】
図３は、実施例２の投射型表示装置（プロジェクタ）のブロック図である。投射型表示装置は、制御部１、メモリ２、映像入力端子３、入力信号処理部４、フレームバッファ５、解像度変換部６、映像変換部２０、レンズシフト補正部３０を有する。図３において、図１と同一の部材には同一の参照符号を付して説明を省略する。
【００３８】
レンズシフト補正部３０は、投射画像の歪を縦レンズシフト量と横レンズシフト量を設定することによって光学処理によって補正し、点線で示すように、入力部３１、表示部３２、ＯＳＤメモリ部３３、ＯＳＤ処理部３４、補正実行部３５を有する。
【００３９】
入力部（設定部）３１は、投射画像の縦方向の歪を補正する縦レンズシフト量と投射画像の横方向の歪を補正する横レンズシフト量を設定するボタン、レバー、ダイヤル、キーボード、テンキー、ポインティングデバイスなどの入力手段から構成される。
【００４０】
表示部３２は、現在設定されている縦レンズシフト量及び横レンズシフト量と、現在設定されている値から縦レンズシフト量と前記横キーストーン補正値のそれぞれが設定可能な範囲を表示する。本実施例では、表示部３２は、縦レンズシフトと横レンズシフトが可能な範囲を２次元的に表示するレンズシフト調整メニューを表示する。しかし、表示部３２は、縦レンズシフト量及び横レンズシフト量の現在の位置と、現在の位置に対してそれぞれが設定可能な範囲を数値、色、矢印などで表示してもよい。これは表示部１２と同様である。
【００４１】
図４は、表示部３２が表示するレンズシフト調整メニュー３２ａの画面である。「レンズシフト調整メニュー」の文字が画面左上に表示されているが、位置は限定されず、表示も任意である。
【００４２】
レンズシフト調整メニュー３２ａは、円形の領域３２ｂと、縦バー３２ｃと、縦レンズシフト量３２ｄと、横バー３２ｅと、横レンズシフト量３２ｆと、を有する。
【００４３】
領域３２ｂは、縦レンズシフト量と横レンズシフト量を設定可能な複数の正方形形状の領域を含んでいる。なお、領域３２ｂが円形であるのは単なる例示であり、領域３２ｂに含まれる複数の領域の正方形形状も単なる例示である。
【００４４】
図４に例示的に示すように、縦レンズシフト量は−１０〜＋１０まで補正可能であり、横レンズシフト量は−１０〜＋１０まで補正可能であり、縦レンズシフトが可能な範囲と横レンズシフトが可能な範囲は相互に関連している。
【００４５】
即ち、縦レンズシフトが可能な範囲が−１０〜＋１０であるのは横レンズシフト量が０である場合であり、横レンズシフト量が変化すると縦レンズシフトが可能な範囲は狭まる。同様に、横レンズシフトが可能な範囲が−１０〜＋１０であるのは縦レンズシフト量が０である場合であり、縦レンズシフト量が変化すると横レンズシフトが可能な範囲は狭まる。
【００４６】
黒い正方形形状を有する位置３２ｂ１は現在の位置（縦レンズシフト量＋７、横レンズシフト量＋８）を示しており、その数値は右端の縦レンズシフト量３２ｄと下部の横レンズシフト量３２ｆに表示されている。
【００４７】
これにより、ユーザは現在の設定値を直ちに把握できると共に、現在の設定値と限界設定値との関係を容易に把握することができる。例えば、ユーザは、図２に示す現在の位置３２ｂ１において、現在の横レンズシフト量＋８を維持した状態では縦レンズシフト量を＋５よりも増加することができないことを把握することができる。
【００４８】
従来は、領域３２ｂの情報がユーザに提供されていなかったため、ユーザは現在の位置から補正値を増減できるのかどうかわからず、縦レンズシフト量と横レンズシフト量の関連性もわからず、操作性に課題があった。
【００４９】
これに対して、本実施例の投射型表示装置によれば、ユーザは、現在位置から縦レンズシフトと横レンズシフトのそれぞれが可能な範囲を容易に把握することができる。このため、ユーザは、操作性良く手動で投射画像の歪を補正することができる。
【００５０】
縦バー３２ｃは、全長、ハッチング部分、黒塗り部分で構成されている。全長、及び、ハッチング部分は、それぞれ、横レンズシフト量が０である場合、及び、現在の横レンズシフト量である場合の縦レンズシフトが可能な範囲に対応している。また、黒塗り部分は、現在の縦レンズシフト量に対応しており、中心値０から現在位置までの部分を塗り潰している。現在位置＋７から上側が白いのは現在位置が上限であり、横レンズシフト量を減少させない限り、それ以上縦レンズシフト量を増加できないことを示している。
【００５１】
同様に、縦バー３２ｅも、全長、ハッチング部分、黒塗り部分で構成されている。全長、及び、ハッチング部分は、それぞれ、縦レンズシフト量が０である場合、及び、現在の縦レンズシフト量である場合の横レンズシフトが可能な範囲に対応している。また、黒塗り部分は、現在の横レンズシフト量に対応しており、中心値０から現在位置までの部分を塗り潰している。現在位置＋８から右側が白いのは現在位置が上限であり、縦レンズシフト量を減少させない限り、それ以上横レンズシフト量を増加できないことを示している。
【００５２】
ＯＳＤ画像メモリ部３３は、不揮発性メモリであり、レンズシフト調整メニュー３２ａ等の画像を保存している。
【００５３】
ＯＳＤ処理部３４は、解像度変換部６より入力される映像信号に対し、制御部１によって設定される領域にＯＳＤ画像メモリ部３３に記憶されていた画像を読み出して重畳する。ＯＳＤ処理部３４は制御部１により、ユーザが縦及び横レンズシフト調整をする際のメニュー表示を行うといった、ＧＵＩ（グラフィカルユーザインターフェイス）の役割を果たす。
【００５４】
補正実行部３５は、ＯＳＤ処理部３４より入力される映像信号に対し、制御部１によって設定される値で縦及び横レンズシフト補正処理を実行する。
【００５５】
以上、本実施例によれば、互いに影響しあう縦レンズシフト及び横レンズシフトの限界設定値の把握が容易となり、ユーザは操作性良く手動で投射画像の歪を補正することができる。
【００５６】
なお、図２に示す現在の位置３２ｂ１において、縦レンズシフト量を＋７よりも増加する操作をした場合には、制御部１は、図４に示すハッチングされた位置３２ｂ２（縦レンズシフト量＋８、横レンズシフト量＋７）に移行してもよい。
【００５７】
従来は、縦レンズシフト量及び横レンズシフト量の一方を、縦レンズシフト値及び横レンズシフト量の他方を維持した状態では限界値を超えた所定の設定値に設定しようとする操作に対しては無反応であり、操作性を改善する需要があった。
【００５８】
そこで、その場合に、制御部１は、操作対象とならない方向のレンズシフト量を変更（増減）することによってユーザが意図する操作対象の方向のレンズシフト量を前記所定の設定値に変更してもよい。これにより、ユーザは操作性良く手動で投射画像の歪を補正することができるようになる。
【００５９】
この斜め移動は、領域３２ｂが表示されない状態で行なわれても従来よりも操作性が向上する。
【００６０】
また、この斜め移動は、現在の限界値である補正値を超えてレンズシフト量を設定しようとする操作が一定時間行なわれた後でなされてもよい。この一定時間の遅延によってユーザは斜め移動が行われたことを把握しやすくなる。
【００６１】
以上、本発明の好ましい実施例について説明したが、本発明はこれらの実施例に限定されないことはいうまでもなく、その要旨の範囲内で種々の変形及び変更が可能である。
【産業上の利用可能性】
【００６２】
投射型表示装置は、画像の表示に適用することができる。
【符号の説明】
【００６３】
１１、３１  入力部（設定部）
１２、３２  表示部
【図１】
0005441672.tif 000002
【図２】
0005441672.tif 000003
【図３】
0005441672.tif 000004
【図４】
0005441672.tif 000005